(57)【特許請求の範囲】
【請求項１】
携帯型の端末装置において用いられる表示プログラムであって、
コンピュータを、
施設における売電または買電に関する情報である第１の電力関連情報を含む複数の電力関連情報を、前記施設の電力関連情報を管理する管理装置から取得する取得部と、
前記取得部によって取得された前記複数の電力関連情報それぞれに基づく複数のグラフを含む第１の画面、及び、前記複数のグラフのいずれかと関連するグラフを含む第２の画面を、前記端末装置のディスプレイに選択的に表示するとともに、画面遷移の指示入力を受付ける指示ボタンを前記第１の画面及び前記第２の画面の各々に表示する表示部として機能させるためのプログラムであり、
前記表示部は、前記第１の画面において、前記複数のグラフのうちの前記第１の電力関連情報に基づく第１のグラフを、前記ディスプレイに表示される前記複数のグラフの中の最上端であり、かつ最左端の位置である第１のエリアに表示し、
前記指示ボタンは、前記第１の画面への遷移を指示する第１のボタン、及び、前記第２の画面への遷移を指示する第２のボタンを含み、
前記取得部は、前記第２の画面において前記第１のボタンが操作されたことに応答して新たな前記電力関連情報を取得し、
前記表示部はさらに、前記第２の画面において前記第１のボタンが操作されたことに応答して、前記取得部を介して取得された前記新たな電力関連情報に基づいた前記グラフを含む前記第１の画面を前記ディスプレイに表示する、
表示プログラム。
【請求項２】
前記第１のグラフは、前記施設における売電についての電力もしくは電力量、または前記施設における買電についての電力もしくは電力量を示すグラフであって、電力または電力量に応じて伸縮するセグメントを含み、
前記表示部は、前記第１のグラフが売電を示す場合と買電を示す場合とで前記セグメントの表示態様を異ならせる、請求項１に記載の表示プログラム。
【請求項３】
前記表示部は、前記第１のグラフが売電を示す場合と買電を示す場合とで、前記セグメントの前記表示態様として、前記セグメントが伸長する向きを異ならせる、請求項２に記載の表示プログラム。
【請求項４】
前記複数の電力関連情報は、前記施設における消費電力に関する情報である第２の電力関連情報を含み、
前記表示部は、前記第１の画面において、前記第２の電力関連情報に基づく第２のグラフを前記第１のエリアの右側に隣接する第２のエリアに表示する、請求項１〜３のいずれか１項に記載の表示プログラム。
【請求項５】
前記複数の電力関連情報は、前記施設における発電電力に関する情報である第３の電力関連情報を含み、
前記表示部は、前記第１の画面において、前記第３の電力関連情報に基づく第３のグラフを前記第１のエリアの下側に隣接する第３のエリアに表示する、請求項４に記載の表示プログラム。
【請求項６】
前記複数の電力関連情報は、さらに、前記施設において充電可能な蓄電池の充放電に関する情報である第４の電力関連情報を含み、
前記表示部は、前記第１の画面において、前記第４の電力関連情報に基づく第４のグラフを、前記第２のエリアの下側に隣接する第４のエリアに表示する、請求項５に記載の表示プログラム。
【請求項７】
前記複数の電力関連情報は、さらに、前記施設において充電可能な蓄電池の放充電に関する情報である第４の電力関連情報を含み、
前記表示部は、前記第１の画面において、前記第４の電力関連情報に基づく第４のグラフを、前記第３のエリアの右側に隣接する第４のエリアに表示する、請求項５に記載の表示プログラム。
【請求項８】
前記第４のグラフは、前記施設において充電可能な蓄電池の放電についての電力もしくは電力量、または前記蓄電池の充電についての電力もしくは電力量を示すグラフであって、電力または電力量に応じて伸縮するセグメントを含み、
前記表示部は、前記第４のグラフが放電を示す場合と充電を示す場合とで前記セグメントの表示態様を異ならせる、請求項６または７に記載の表示プログラム。
【請求項９】
前記表示部は、前記第４のグラフが放電を示す場合と充電を示す場合とで、前記セグメントの前記表示態様として、前記セグメントが伸長する向きを異ならせる、請求項８に記載の表示プログラム。
【請求項１０】
前記グラフは、対応の前記電力関連情報によって示される電力または電力量を示し、
前記グラフが示すことができる前記電力または前記電力量の最大値は、前記施設に設けられるブレーカの容量に基づく値である、請求項１〜９のいずれか一項に記載の表示プログラム。
【請求項１１】
前記複数のグラフのそれぞれに対応する複数の前記最大値は互いに等しい、請求項１０に記載の表示プログラム。
【請求項１２】
前記第１の画面は、前記表示プログラムが起動した後、ユーザによる操作を前記端末装置が初めて受付け可能となる画面である、請求項１〜１１のいずれか一項に記載の表示プログラム。
【請求項１３】
前記表示部は、前記第１の画面において、前記複数のグラフと共に、前記施設において充電可能な蓄電池の残電量をさらに表示する、請求項１〜１２のいずれか一項に記載の表示プログラム。
【請求項１４】
前記表示部は、前記第１の画面において、予め規定されたユーザ操作を前記端末装置が受け付けた場合に、前記残電量の表示を更新する、請求項１３に記載の表示プログラム。
【請求項１５】
前記取得部はさらに、前記第１の画面において、予め規定されたユーザ操作を前記端末装置が受け付けた場合に新たな前記電力関連情報を取得し、
前記表示部は、前記取得部によって前記新たな電力関連情報が取得された場合に前記新たな電力関連情報に基づいた前記グラフを、前記端末装置のディスプレイに表示する、請求項１〜１４のいずれか一項に記載の表示プログラム。
【請求項１６】
前記表示部は、予め規定されたユーザ操作に従って、前記ディスプレイに表示された前記複数のグラフの表示位置を変更する、請求項１〜１５のいずれか一項に記載の表示プログラム。
【請求項１７】
前記表示部は、予め規定されたユーザ操作に従って、前記ディスプレイに表示された前記複数のグラフのうちの前記ユーザ操作によって指定されたグラフの表示を削除する、請求項１〜１６のいずれか一項に記載の表示プログラム。
【請求項１８】
前記表示部はさらに、前記第１の画面において、前記施設における電力の流れを表す画像を、前記複数のグラフそれぞれの表示位置と前記電力の流れとを関連付けて表示する、請求項１〜１７のいずれか一項に記載の表示プログラム。
【請求項１９】
前記表示部の表示する前記複数のグラフの少なくとも一つは、当該グラフの原点の位置と最大値の位置とが一致する閉じた形状であって、
前記複数のグラフの前記少なくとも一つは、電力または電力量に応じて伸縮するセグメントを含み、
前記セグメントは前記閉じた形状に沿って伸縮する、請求項１〜１８のいずれか一項に記載の表示プログラム。
【請求項２０】
前記閉じた形状は、円形状または略円形状である、請求項１９に記載の表示プログラム。
【請求項２１】
前記表示部は、前記第１の画面において前記第２のボタンが操作されたことに応答して、前記取得部を介して前記電力関連情報を取得し、取得した前記電力関連情報に基づいて、前記関連するグラフを作成して、前記関連するグラフを含む前記第２の画面を前記ディスプレイに表示する、請求項１〜１９のいずれか一項に記載の表示プログラム。
【請求項２２】
電力関連情報を表示可能な携帯型の端末装置であって、
施設における売電または買電に関する情報である第１の電力関連情報を含む複数の電力関連情報を、前記施設の電力関連情報を管理する管理装置から取得する取得部と、
前記複数の電力関連情報それぞれに基づく複数のグラフを含む第１の画面、及び、前記複数のグラフのいずれかと関連するグラフを含む第２の画面を、前記端末装置のディスプレイに選択的に表示するとともに、画面遷移の指示入力を受付ける指示ボタンを前記第１の画面及び前記第２の画面の各々に表示する表示部と、を備え、
前記表示部は、前記第１の画面において、前記複数のグラフのうちの前記第１の電力関連情報に基づく第１のグラフを、前記ディスプレイに表示される前記複数のグラフの中の最上端であり、かつ最左端の位置である第１のエリアに表示するとともに、前記指示ボタンを前記複数のグラフの下側に表示し、
前記指示ボタンは、前記第１の画面への遷移を指示する第１のボタン、及び、前記第２の画面への遷移を指示する第２のボタンを含み、
前記取得部は、前記第２の画面において前記第１のボタンが操作されたことに応答して新たな前記電力関連情報を取得し、
前記表示部はさらに、前記第２の画面において前記第１のボタンが操作されたことに応答して、前記取得部を介して取得された前記新たな電力関連情報に基づいた前記グラフを含む前記第１の画面を前記ディスプレイに表示する、端末装置。
【請求項２３】
施設の電力関連情報を管理する管理装置と、
前記管理装置と通信する、請求項１〜２１のいずれか一項に記載の表示プログラムが動作している端末装置とを備え、
前記管理装置は、
前記施設に設置された電力量計と通信することで、前記施設における売電または買電に関する情報を取得する情報取得部と、
前記端末装置からの要求に応じて、前記施設における売電または買電に関する情報を含む前記複数の電力関連情報を前記端末装置に送信する送信部とを含む、電力管理システム。
【発明の詳細な説明】
【技術分野】
【０００１】
この発明は表示プログラム、端末装置、および管理装置に関し、特に、電力関連情報を端末装置に表示させるための表示プログラム、当該端末装置、および電力関連情報を端末装置に出力する管理装置に関する。
【背景技術】
【０００２】
特開２０１５−１１９５４４号公報（特許文献１）や特開２０１５−１２５５３６号公報（特許文献２）に開示されているような、一般家庭やオフィスなどの施設に設置されている各種電気機器を管理するためのシステムが普及している。このような管理システムは、ＨＥＭＳ（Home  Energy  Management  System）などと呼ばれる。このシステムでは、たとえば各種電気機器における消費量などの電力関連情報を利用者に提示することで、省電力を促すことができる。
【０００３】
特に、発電装置を有する施設では、余剰の電力を電力会社等に販売（売電）することが可能である。このような場合に、電力関連情報の一つである、現在までに電力会社等に販売した電力量（売電量）、および電力会社等から購入した電力量（買電量）は、ユーザの大きな関心事である。
【先行技術文献】
【特許文献】
【０００４】
【特許文献１】特開２０１５−１１９５４４号公報
【特許文献２】特開２０１５−１２５５３６号公報
【発明の概要】
【発明が解決しようとする課題】
【０００５】
スマートフォンやタブレット端末などの端末装置が広く普及している昨今では、上記のような電力関連情報を携帯する端末装置で見たいというユーザのニーズが高まっている。
【課題を解決するための手段】
【０００６】
この発明にかかる表示プログラムは、端末装置において用いられる表示プログラムであって、コンピュータを、施設における売電または買電に関する情報である第１の電力関連情報を含む複数の電力関連情報を、施設の電力関連情報を管理する管理装置から取得する取得部と、取得部によって取得された複数の電力関連情報それぞれに基づいた複数のグラフを、前記端末装置のディスプレイに表示する表示部として機能させるためのプログラムであり、表示部は、複数のグラフのうちの第１の電力関連情報に基づいた第１のグラフを、ディスプレイに表示される複数のグラフの中の最上端であり、かつ最左端の位置である第１のエリアに表示する。
【０００７】
この発明にかかる端末装置は、電力関連情報を表示可能な端末装置であって、施設における売電または買電に関する情報である第１の電力関連情報を含む複数の電力関連情報を、施設の電力関連情報を管理する管理装置から取得する取得部と、複数の電力関連情報それぞれに基づいた複数のグラフを、端末装置のディスプレイに表示する表示部と、を備え、表示部は、複数のグラフのうちの第１の電力関連情報に基づいた第１のグラフを、ディスプレイに表示される複数のグラフの中の最上端であり、かつ最左端の位置である第１のエリアに表示する。
【０００８】
この発明にかかる管理装置は、施設の電力関連情報を管理する管理装置であって、施設に設置された電力量計と通信することで、施設における売電または買電に関する情報を取得する取得部と、上記の表示プログラムが動作している端末装置からの要求に応じて、施設における売電または買電に関する情報を含む複数の電力関連情報を端末装置に送信する送信部と、を備える。
【発明の効果】
【０００９】
この発明によると、ユーザは、ディスプレイのサイズの小さい端末装置であっても、表示される画面から施設における電力関連情報を容易に把握することができる。
【図面の簡単な説明】
【００１０】
【図１】実施の形態にかかる電力管理システムの構成の概略を示す図である。
【図２】電力管理システムに含まれる端末装置の装置構成（Ａ）、および管理装置の装置構成（Ｂ）の一例を表わしたブロック図である。
【図３】端末装置に表示される、表示アプリケーションのホーム画面の具体例を示した図である。
【図４】端末装置に表示される、表示アプリケーションのホーム画面の具体例を示した図である。
【図５】端末装置に表示される、表示アプリケーションのホーム画面の具体例を示した図である。
【図６】管理装置の動作の流れを表したフローチャートである。
【図７】端末装置の動作の流れを表したフローチャートである。
【図８】端末装置に表示される、表示アプリケーションのホーム画面の他の具体例を示した図である。
【図９】図３（Ａ）のホーム画面からの画面遷移の具体例を表した図である。
【図１０】図３（Ａ）のホーム画面からの画面遷移の具体例を表した図である。
【図１１】図３（Ａ）のホーム画面からの画面遷移の具体例を表した図である。
【図１２】端末装置に表示される、表示アプリケーションのホーム画面の他の具体例を示した図である。
【発明を実施するための形態】
【００１１】
［実施の形態の説明］
本実施の形態には、少なくとも以下のものが含まれる。
すなわち、本実施の形態に含まれる表示プログラムは、端末装置において用いられる表示プログラムであって、コンピュータを、施設における売電または買電に関する情報である第１の電力関連情報を含む複数の電力関連情報を、施設の電力関連情報を管理する管理装置から取得する取得部と、取得部によって取得された複数の電力関連情報それぞれに基づいた複数のグラフを、端末装置のディスプレイに表示する表示部として機能させるためのプログラムであり、表示部は、複数のグラフのうちの第１の電力関連情報に基づいた第１のグラフを、ディスプレイに表示される複数のグラフの中の最上端であり、かつ最左端の位置である第１のエリアに表示する。
第１のグラフが、ディスプレイの複数のグラフの中の最上端であり、かつ最左端の位置である第１のエリアに表示されることによって、端末装置に表示された画面のうちの第１のグラフが最も視認しやすい位置となる。そのため、ユーザは、一つの画面に複数の電力関連情報が表示されている状態において、当該画面から、施設における売買電電力に関する情報に基づいたグラフが最も視認しやすくなる。
【００１２】
好ましくは、第１のグラフは、施設における売電についての電力もしくは電力量、または施設における買電についての電力もしくは電力量を示すグラフであって、電力または電力量に応じて伸縮するセグメントを含み、表示部は、第１のグラフが売電を示す場合と買電を示す場合とでセグメントの表示態様を異ならせる。
これにより、セグメントの長さによって電力または電力量が一目で把握され、セグメントの表示態様によって第１のグラフが売電を示しているのか買電を示しているのかが一目で把握される。
【００１３】
好ましくは、表示部は、第１のグラフが売電を示す場合と買電を示す場合とで、セグメントの表示態様として、セグメントが伸長する向きを異ならせる。
これにより、セグメントの伸長する向きによって第１のグラフが売電を示しているのか買電を示しているのかが一目で把握される。
【００１４】
好ましくは、複数の電力関連情報は、施設における消費電力に関する情報である第２の電力関連情報を含み、表示部は、第２の電力関連情報に基づいた第２のグラフを第１のエリアの右側に隣接する第２のエリアに表示する。
これにより、端末装置に表示された画面のうちの第２のグラフが第１のグラフに次いで視認しやすい位置となる。そのため、ユーザは、一つの画面に複数の電力関連情報が表示されている状態において、当該画面から、施設における売電または買電に関する情報に基づいたグラフに次いで、施設における消費電力に関する情報に基づいたグラフが視認しやすくなる。
【００１５】
好ましくは、複数の電力関連情報は、施設における発電電力に関する情報である第３の電力関連情報を含み、表示部は、第３の電力関連情報に基づいた第３のグラフを第１のエリアの下側に隣接する第３のエリアに表示する。
これにより、端末装置に表示された画面のうちの第３のグラフが第１のグラフに次いで視認しやすい位置となる。そのため、ユーザは、一つの画面に複数の電力関連情報が表示されている状態において、当該画面から、施設における売電または買電に関する情報に基づいたグラフに次いで、施設における発電電力に関する情報に基づいたグラフが視認しやすくなる。
【００１６】
好ましくは、複数の電力関連情報は、さらに、施設において充電可能な蓄電池の充放電に関する情報である第４の電力関連情報を含み、表示部は、第４の電力関連情報に基づいた第４のグラフを、第２のエリアの下側に隣接する第４のエリアに表示する。
これにより、端末装置に表示された画面のうちの第４のグラフが第２のグラフに次いで視認しやすい位置となる。そのため、ユーザは、一つの画面に複数の電力関連情報が表示されている状態において、当該画面から、施設における売電または買電に関する情報に基づいたグラフ、および施設における消費電力に関する情報に基づいたグラフに次いで、施設において充電可能な蓄電池の放充電に関する情報に基づいたグラフが視認しやすくなる。
【００１７】
好ましくは、複数の電力関連情報は、さらに、施設において充電可能な蓄電池の放充電に関する情報である第４の電力関連情報を含み、表示部は、第４の電力関連情報に基づいた第４のグラフを、第３のエリアの右側に隣接する第４のエリアに表示する。
これにより、端末装置に表示された画面のうちの第４のグラフが第３のグラフに次いで視認しやすい位置となる。そのため、ユーザは、一つの画面に複数の電力関連情報が表示されている状態において、当該画面から、施設における売電または買電に関する情報に基づいたグラフ、および施設における発電電力に関する情報に基づいたグラフに次いで、施設において充電可能な蓄電池の放充電に関する情報に基づいたグラフが視認しやすくなる。
【００１８】
好ましくは、第４のグラフは、記施設において充電可能な蓄電池の放電についての電力もしくは電力量、または蓄電池の充電についての電力もしくは電力量を示すグラフであって、電力または電力量に応じて伸縮するセグメントを含み、表示部は、第４のグラフが放電を示す場合と充電を示す場合とでセグメントの表示態様を異ならせる。
これにより、セグメントの長さによって電力または電力量が一目で把握され、セグメントの表示態様によって第４のグラフが放電を示しているのか充電を示しているのかが一目で把握される。
【００１９】
好ましくは、表示部は、第４のグラフが放電を示す場合と充電を示す場合とで、セグメントの表示態様として、セグメントが伸長する向きを異ならせる。
これにより、セグメントの伸長する向きによって第４のグラフが放電を示しているのか充電を示しているのかが一目で把握される。
【００２０】
好ましくは、グラフは、対応の電力関連情報によって示される電力または電力量を示し、グラフが示すことができる電力または電力量の最大値は、施設に設けられるブレーカの容量に基づく値である。
これにより、各グラフにおける電力または電力量が当該グラフにおいて最適なサイズで表示されることになる。そのため、ユーザは、端末装置のディスプレイに表示されたグラフにおいて電力または電力量を把握しやすくなる。
【００２１】
好ましくは、複数のグラフのそれぞれに対応する複数の最大値は互いに等しい。
これにより、各グラフにおける電力量が当該グラフにおいて最適なサイズで表示されることになる。そのため、ユーザは、端末装置のディスプレイに表示されたグラフにおいて電力量を把握しやすくなる。
【００２２】
好ましくは、表示部は、表示プログラムが起動した後、ユーザによる操作を端末装置が初めて受付け可能となる画面において、複数のグラフを表示する。
いわゆるホーム画面と呼ばれる、表示プログラムが起動した後、ユーザによる操作を端末装置が初めて受付け可能となる画面に複数のグラフが表示されることで、ユーザは、当該プログラムの起動の後に煩雑な操作を行うことなく電力関連情報に基づくグラフを見ることができる。そのため、ユーザの操作性が格段に向上させる。
【００２３】
好ましくは、表示部は、複数のグラフと共に、施設において充電可能な蓄電池の残電量を表示する。
これにより、ユーザは、電力関連情報に基づくグラフと共に、施設に設置されている蓄電池の残電量も見ることができる。そのため、ユーザは施設に設置されている蓄電池の残電量を見るために煩雑な操作が不要になり、操作性が格段に向上する。
【００２４】
好ましくは、表示部は、予め規定されたユーザ操作を端末装置が受け付けた場合に、残電量の表示を更新する。
これにより、ユーザ操作に応じて施設において充電可能な蓄電池の残電量の表示が更新される。そのため、ユーザは、所望するタイミングにおいて最新の残電量の情報を把握することができる。
【００２５】
好ましくは、取得部は、予め規定されたユーザ操作を端末装置が受け付けた場合に新たな電力関連情報を取得し、表示部は、取得部によって新たな電力関連情報が取得された場合に新たな電力関連情報に基づいたグラフを、端末装置のディスプレイに表示する。
これにより、ユーザ操作に応じて電力関連情報に基づくグラフ等の表示が更新される。そのため、ユーザは、所望するタイミングにおいて最新の電力関連情報を把握することができる。
【００２６】
好ましくは、表示部は、予め規定されたユーザ操作に従って、ディスプレイに表示された複数のグラフの表示位置を変更する。
好ましくは、表示部は、予め規定されたユーザ操作に従って、ディスプレイに表示された複数のグラフのうちのユーザ操作によって指定されたグラフの表示を削除する。
これにより、端末装置のユーザは、自身の所望する位置に所望するグラフを表示させたり、削除させたりすることができ、操作性が格段に向上する。
【００２７】
好ましくは、表示部は、施設における電力の流れを表す画像を、複数のグラフそれぞれの表示位置と電力の流れとを関連付けて表示する。
これにより、端末装置の表示画面において、ユーザは、電力関連情報に加えて施設における電力の流れを見ることができる。
【００２８】
好ましくは、表示部の表示する複数のグラフの少なくとも一つは、当該グラフの原点の位置と最大値の位置とが一致する閉じた形状であって、当該複数のグラフの少なくとも一つのグラフは、電力または電力量に応じて伸縮するセグメントを含み、セグメントは閉じた形状に沿って伸縮する。
これにより、端末装置の表示画面において、ユーザは、電力関連情報を容易に把握することができる。
【００２９】
好ましくは、上記の閉じた形状は、円形状または略円形状である。
これにより、端末装置の表示画面において、ユーザは、電力関連情報を容易に把握することができる。
【００３０】
本実施の形態に含まれる端末装置は電力関連情報を表示可能な端末装置であって、施設における売電または買電に関する情報である第１の電力関連情報を含む複数の電力関連情報を、施設の電力関連情報を管理する管理装置から取得する取得部と、複数の電力関連情報それぞれに基づいた複数のグラフを、端末装置のディスプレイに表示する表示部と、を備え、表示部は、複数のグラフのうちの第１の電力関連情報に基づいた第１のグラフを、ディスプレイに表示される複数のグラフの中の最上端であり、かつ最左端の位置である第１のエリアに表示する。
第１のグラフが、ディスプレイの複数のグラフの中の最上端であり、かつ最左端の位置である第１のエリアに表示されることによって、端末装置に表示された画面のうちの第１のグラフが最も視認しやすい位置となる。そのため、ユーザは、一つの画面に複数の電力関連情報が表示されている状態において、当該画面から、施設における売買電電力に関する情報に基づいたグラフが最も視認しやすくなる。
【００３１】
本実施の形態に含まれる端末装置は電力関連情報を表示可能な端末装置であって、施設における売電または買電に関する情報である第１の電力関連情報を含む複数の電力関連情報を、施設の電力関連情報を管理する管理装置から取得する取得部と、複数の電力関連情報それぞれに基づいた複数のグラフを、端末装置のディスプレイに表示する表示部と、を備え、表示部は、複数のグラフのうちの第１の電力関連情報に基づいた第１のグラフを、ディスプレイに表示される複数のグラフの中の最上端であり、かつ最左端の位置である第１のエリアに表示する。
端末装置にこれら電力関連情報が表示されることによって、ユーザは、たとえば携帯するスマートフォンなどの端末装置を用いてこれら情報を把握することが可能になる。
【００３２】
本実施の形態に含まれる管理装置は施設の電力関連情報を管理する管理装置であって、施設に設置された電力量計と通信することで、施設における売電または買電に関する情報を取得する取得部と、上記の表示プログラムが動作している端末装置からの要求に応じて、施設における売電または買電に関する情報を含む複数の電力関連情報を端末装置に送信する送信部と、を備える。
施設における売買電電力に関する情報を含む複数の電力関連情報が管理装置から端末装置に送信されることによって、端末装置では、これら情報を画面表示することができる。そのため、ユーザは、端末装置を用いてこれら情報を把握することが可能になる。
【００３３】
［実施の形態の詳細］
以下に、図面を参照しつつ、好ましい実施の形態の詳細について説明する。
［第１の実施の形態］
＜システム構成＞
図１は、本実施の形態にかかる電力管理システムの構成の概略を示す図である。
【００３４】
図１を参照して、本実施の形態にかかる電力管理システムは、ユーザの携帯する１台または複数の端末装置１００と、一般家庭やオフィスなどの施設に設置されている１台または複数の電気機器５００Ａ，５００Ｂ，…と、これらを管理するための管理装置３００と、通信機能を有する電力量計（スマートメータとも称される）６００と、を含む。１台または複数の電気機器５００Ａ，５００Ｂ，…を代表させて電気機器５００とも称する。また、電力管理システムは、図１に表されたように、さらに蓄電池７００Ａをさらに含んでもよい。蓄電池７００Ａは、太陽光発電パネル７０１と電力変換装置７０２とを含む太陽光発電システムに接続されていてもよい。すなわち、本施設にはさらに太陽光発電システムが設置されて、電力管理システムは該太陽光発電システムに接続されていてもよい。
【００３５】
複数の電気機器５００は、たとえば、テレビジョン受像機５００Ａ、エアコンディショナ（エアコン）５００Ｂ、電灯５００Ｃ、監視カメラ５００Ｄ、電気給湯器５００Ｅ、電気自動車用充放電装置５００Ｆなどを含む。これらは、通常の電気機器の機能を有すると共に、管理装置３００と通信する機能を有する。また、本システムに太陽光発電システムに接続された蓄電池７００Ａがさらに含まれる場合、蓄電池７００Ａもまた、管理装置３００と通信する機能を有する。あるいは、蓄電池７００Ａに、管理装置３００と通信するための通信装置（不図示）が接続される。以降の説明において、当該施設に設置され、管理装置３００と通信可能な電気機器５００および蓄電池７００Ａを電気機器５００等とも称する。電気機器５００等と管理装置３００との間の通信は、たとえば無線ＬＡＮ（Local  Area  Network）やＺｉｇＢｅｅ（登録商標）などの規格に従う無線通信である。
【００３６】
電気機器５００は、管理装置３００からの要求に応じて、自身における設定値や消費電力や充放電電力などを管理装置３００に送信する。具体的には、エアコン５００Ｂの場合には、管理装置３００からの要求に応じて、設定温度や風量、消費電力などの情報を管理装置３００に送信する。電気給湯器５００Ｅの場合には、管理装置３００からの要求に応じて、設定温度や残湯量、消費電力などの情報を管理装置３００に送信する。電気自動車用充放電装置５００Ｆの場合には、管理装置３００からの要求に応じて、接続されている電気自動車７００Ｂに搭載されている蓄電池（不図示）の電池残量すなわち残電量や該蓄電池の充電電力、該蓄電池の放電電力、電気自動車７００Ｂの消費電力などの情報を管理装置３００に送信する。また、蓄電池７００Ａは、管理装置３００からの要求に応じて、蓄電池７００Ａの残電量、充電電力、および放電電力などを管理装置３００に送信する。なお、本施設に太陽光発電パネル７０１および電力変換装置７０２を含む太陽光発電システムが含まれる場合、管理装置３００は太陽光発電システムと接続され、太陽光発電システムから太陽光発電パネル７０１における発電電力の値を取得する。電気機器５００は、さらに、管理装置３００からの制御信号に従って、自身のＯＮ／ＯＦＦや、設定温度や録画予約などのパラメータの設定、および設定値の変更などを行なってもよい。
【００３７】
スマートメータ６００は、一般家庭やオフィスなどの施設に設置され、当該施設に商用電力系統から供給される電力量を計測することによって、当該施設が商用電力系統から購入した電力（買電電力）を計量する。また、当該施設に太陽光発電装置７０１が設置され、発電によって得られた電力を電力会社に販売（売電）する場合、スマートメータ６００は、当該施設から商用電力系統に供給される電力量を計測することによって、売電電力を計量する。つまり、スマートメータ６００は、施設における売買電電力を計量する。
【００３８】
スマートメータ６００は、インターネットなどのネットワークを介して、図示しない、電力会社の有するデータ管理用のサーバと相互に通信するための機能を有する。この通信ルートは、後述する他の通信と区別する意味でＡルートと呼ばれることもある。スマートメータ６００は、上記サーバからの要求に応じて、あるいは、予め規定されたタイミングで、計測した売買電電力などの情報をサーバに送信する。
【００３９】
スマートメータ６００は、さらに、管理装置３００と相互に通信する機能を有する。スマートメータ６００と管理装置３００との間の通信は、たとえばＷｉ-ＳＵＮ（Wireless  Smart  Utility  Network）などの規格に従う無線通信であって、電気機器５００と管理装置３００との間の通信とは異なる通信である。スマートメータ６００は、管理装置３００からの要求に応じて、計測した売買電電力の情報を管理装置３００に送信する。
【００４０】
管理装置３００は、一般家庭やオフィスなどの施設に設置され、当該施設に設置された電気機器５００等やスマートメータ６００と通信可能であると共に、さらに、端末装置１００と相互に通信可能である。端末装置１００は、ユーザの携帯可能な装置であって、たとえば、スマートフォンやタブレット端末などである。端末装置１００と管理装置３００との間の通信は、たとえばＷｉ−Ｆｉ（Wireless  Fidelity）（登録商標）通信などの無線ＬＡＮを介した通信である。
【００４１】
管理装置３００は、電気機器５００等から、各電気機器５００における消費電力や、蓄電池７００Ａにおける充放電電力などの情報を取得すると、取得した情報に基づいて電力関連情報を生成する。たとえば、管理装置３００は、スマートメータ６００から取得した情報に基づいて、当該施設における売買電電力を示す情報を生成する。また、管理装置３００は、各電気機器５００から取得した情報に基づいて、当該施設における消費電力を示す情報を生成する。また、管理装置３００は、蓄電池７００Ａから取得した情報に基づいて、当該施設に含まれる太陽光発電システムにおける発電電力を示す情報を生成する。また、管理装置３００は、蓄電池７００Ａおよび電気自動車用充放電装置５００Ｆから取得した情報に基づいて、当該施設に設置された蓄電池における充放電電力を示す情報を生成する。なお、以降の説明において、これら管理装置３００において生成される情報を電力関連情報とも称する。管理装置３００は、生成した電力関連情報を図示しないメモリに記憶しておき、端末装置１００からの要求に応じて記憶している電力管理情報を端末装置１００に送信する。端末装置１００は、管理装置３００から電力管理情報を得ると、起動しているアプリケーションに従って電力管理情報を示すグラフなどを表示する。
【００４２】
なお、管理装置３００は、さらに、インターネットなどのネットワークを介して、電力管理用のサーバ９００とも相互に通信可能であってもよい。管理装置３００は、サーバ９００からの制御信号に従って、電気機器５００などから得た電力関連情報をサーバ９００に送信する。また、管理装置３００は、サーバ９００からの制御信号に従って電気機器５００のＯＮ／ＯＦＦや設定温度などを制御する。
【００４３】
＜装置構成＞
図２（Ａ）は、端末装置１００の装置構成の一例を表したブロック図である。図２（Ａ）を参照して、端末装置１００は、装置全体を制御するＣＰＵ(Central  Processing  Unit）１０と、ＣＰＵ１０で実行されるプログラムを記憶するためのＲＯＭ（Read  Only  Memory）１１と、ＣＰＵ１０でプログラムを実行する際の作業領域となったり各種データを記憶するためのＲＡＭ（Random  Access  Memory）１２と、ディスプレイ１４と、操作パネル１６と、通信部１８とを含む。なお、図２（Ａ）に表された構成は、一般的なコンピュータの構成である。そのため、端末装置１００がたとえばスマートフォンやタブレット端末などである場合、図２（Ａ）に表された構成の他に、これら装置として機能するための構成を有してもよい。
【００４４】
図２（Ｂ）は、管理装置３００の装置構成の一例を表したブロック図である。図２（Ｂ）を参照して、管理装置３００もまた、端末装置１００と同様に、ＣＰＵ３０と、ＲＯＭ３１と、ＲＡＭ３２とを含む。さらに、管理装置３００は、施設内の電気機器５００などと無線通信を行うための第１通信部３３と、スマートメータ６００と無線通信を行うための第２通信部３４と、インターネットなどのネットワークを介してサーバ９００と通信を行うための第３通信部３５と、端末装置１００と無線通信するための第４通信部３６とを含む。なお、図２（Ｂ）に示された構成の他に、管理装置３００は、ボタンなどの入力装置やディスプレイやランプなどの表示装置をさらに含んでもよい。
【００４５】
＜動作概要＞
管理装置３００は、後述する端末装置１００からの要求に応じて、電気機器５００等から消費電力や充放電電力などの情報を取得する。または、管理装置３００は、予め規定されたタイミングに電気機器５００等から消費電力や充放電電力などの情報を取得してもよい。管理装置３００は、電気機器５００等から消費電力や充放電電力などの情報を取得すると、これらの情報に基づいて電力関連情報を生成し、図示しないメモリに記憶する。端末装置１００には、施設に設置される電気機器５００等の電力管理情報を表示するためのアプリケーション（表示プログラム）がインストールされている。当該アプリケーションの実行に従う端末装置１００は、管理装置３００から電力関連情報を取得し、ディスプレイ１４に表示する。また、端末装置１００は、ユーザ操作に従って電気機器５００等に制御信号を出力し、それらのＯＮ／ＯＦＦや設定温度などを制御してもよい。
【００４６】
詳しくは、端末装置１００において該アプリケーションが起動されると、該アプリケーションは管理装置３００に電力関連情報を要求する。そして、該アプリケーションは、管理装置３００から取得した電力関連情報を、当該アプリケーション起動後に最初に表示されるホーム画面に表示する。該アプリケーションは、起動の後には、ユーザから特定の操作を受け付けた場合にも管理装置３００に電力関連情報を要求する。特定の操作は、たとえば、操作パネル１６を下向きにスワイプする操作や、後述するホーム画面を表示させるためのボタン１４３Ａにタッチする操作などである。該アプリケーションが、起動時とユーザ操作がなされた場合とのみに管理装置３００に電力関連情報を要求することによって、端末装置１００と管理装置３００との間の不要な通信を抑えることができる。または、端末装置１００は、該アプリケーション起動の後には、予め規定されたタイミングで管理装置３００に電力関連情報を要求してもよい。予め規定されたタイミングは、たとえば所定の時間間隔や、電気機器５００に対して制御信号を送信してから規定時間の後のタイミングなどである。該アプリケーションが予め規定された上記のようなタイミングに管理装置３００に電力関連情報を要求することによって、端末装置１００は概ねリアルタイムの電力関連情報を得ることができる。
【００４７】
図３（Ａ）は、上記アプリケーションの起動時に端末装置１００のディスプレイ１４に表示されるホーム画面の具体例を表した図である。図３（Ａ）を参照して、ホーム画面は、複数種類の電力関連情報を表示するためのエリア１４１と、本施設に含まれる蓄電池の残電量を表示するためのエリア１４２と、指示ボタンを表示するためのエリア１４３とを含む。エリア１４１はホーム画面の上方に位置し、エリア１４２はエリア１４１の下に位置し、エリア１４３はホーム画面の下方に位置する。すなわち、複数種類の電力関連情報と、残電量に関する情報と、指示ボタンとが、一つの画面に表示される。
【００４８】
エリア１４１は、売買電電力を示す情報を表示するためのエリア１４１Ａと、その他の電力関連情報を示す情報を表示するためのエリアとを含む。たとえば、エリア１４１は、上記のエリア１４１Ａの他に、当該施設における消費電力を示す情報を表示するためのエリア１４１Ｂと、発電電力を示す情報を表示するためのエリア１４１Ｃと、充放電電力を示す情報を表示するためのエリア１４１Ｄとを含む。エリア１４１Ａは、エリア１４１のうちの左上の領域である。すなわち、エリア１４１Ａは、エリア１４１Ａ〜１４１Ｄのうちの最上端であり、かつ最左端の位置である。エリア１４１Ｂは、エリア１４１のうちの右上の領域である。すなわち、エリア１４１Ｂは、エリア１４１Ａの右側に隣接する。エリア１４１Ｃは、エリア１４１のうちの左下の領域である。すなわち、エリア１４１Ｃは、エリア１４１Ａの下側に隣接する。エリア１４１Ｄは、エリア１４１のうちの右下の領域である。すなわち、エリア１４１Ｄは、エリア１４１Ｂの下側に隣接し、エリア１４１Ｃの右側に隣接する。
【００４９】
人の視線は、一般的に左上から右下へと移動する傾向が強いため、上記のようにエリア１４１Ａ〜エリア１４１Ｄが配置されることによって、エリア１４１Ａ→エリア１４１Ｂ→エリア１４１Ｃ→エリア１４１Ｄの順にユーザが視認する可能性が高い。売買電電力を示す情報、当該施設における消費電力を示す情報、発電電力を示す情報、および充放電電力を示す情報のうちの、一般的にユーザの関心が最も高い売買電電力を示す情報がエリア１４１Ａに表示されることで、売買電電力を示す情報の視認の優先順位を最上位とすることができる。すなわち、売買電電力を示す情報がエリア１４１Ａに表示されることで、ユーザは、当該アプリケーションを起動させて最初に表示されるホーム画面において売買電電力を示す情報を最も視認しやすくなる。また、当該施設における消費電力を示す情報がエリア１４１Ｂに表示されることで、ユーザは、ホーム画面において消費電力を示す情報を、売買電電力を示す情報の次に視認しやすくなる。また、発電電力を示す情報がエリア１４１Ｃに表示されることで、ユーザは、ホーム画面において発電電力を示す情報を、消費電力を示す情報の次に視認しやすくなる。また、充放電電力を示す情報がエリア１４１Ｄに表示されることで、ユーザは、ホーム画面において充放電電力を示す情報を、発電電力を示す情報の次に視認しやすくなる。
【００５０】
なお、エリア１４１Ａ〜エリア１４１Ｄの配置は、ユーザ操作に従って変更可能であってもよい。アプリケーションは、たとえばホーム画面に図示されていない設定ボタンを設け、そのボタンにタッチすることによって表示される設定画面においてエリア１４１Ａ〜エリア１４１Ｄの配置の変更の指示を受け付けてもよい。または、アプリケーションは、ホーム画面の表示中にエリア１４１Ａ〜エリア１４１Ｄのいずれかがタッチされたままタッチ位置を移動（スライド）する操作を受け付けた場合、タッチされたエリアをタッチが解消された位置に変化させる指示として、当該指示に従ってエリア１４１Ａ〜エリア１４１Ｄの配置を変更してもよい。このようにすることで、ユーザは、所望する電力関連情報を確認しやすい位置に表示させることができる。
【００５１】
また、エリア１４１Ａ〜エリア１４１Ｄのうちの少なくとも一つは、ユーザ操作に従って削除可能であってもよい。アプリケーションは、たとえばホーム画面に図示されていない設定ボタンを設け、そのボタンにタッチすることによって表示される設定画面においてエリア１４１Ａ〜エリア１４１Ｄのいずれかの削除の指示を受け付けてもよい。または、アプリケーションは、ホーム画面の表示中にエリア１４１Ａ〜エリア１４１Ｄのいずれかに対する長押し操作（閾値以上の時間継続するタッチ）を受け付けた場合、長押しされたエリアを削除させる指示として、当該指示に従ってタッチされたエリアを削除してもよい。施設によっては発電設備や充電設備などを備えていない場合もあるためである。このようにすることで、ユーザは、所望する電力関連情報のみを表示させることができる。つまり、不要な電力関連情報を表示させないようにできる。
【００５２】
エリア１４１Ａ〜エリア１４１Ｄそれぞれに表示される情報は、電力または電力量を表すグラフを含む。グラフは、セグメントの長さ（伸縮度合い）によって電力または電力量を示すものであって、たとえば、セグメントが棒である場合には棒グラフ、セグメントが扇形である場合には円グラフなどである。なお、セグメントが扇形の場合には、以降の「セグメントの長さ」は、扇形の円周の長さ、または中心角の大きさに相当する。該セグメントは、予め規定された０の位置から規定された向きに伸縮する長さによって電力または電力量を表す。なお、図３（Ａ），（Ｂ）の例では、エリア１４１Ａ〜１４１Ｄに表示されるグラフにおいて、セグメントの長さが売電電力や買電電力などの電力を表している。売電電力や買電電力などの電力は、表示データ取得時における電力値を表す。他の例として、エリア１４１Ａ〜１４１Ｄに表示されるグラフにおいて、セグメントの長さが売電量や買電量や消費電力量や発電量などの電力量を表してもよい。電力量は、表示データ取得時直前の売電や買電や消費や発電などのなされた電力量の値を表す。
【００５３】
さらに、エリア１４１Ａ〜エリア１４１Ｄに表示されるグラフにおいて、相反する状態の電力または電力量を表すグラフにおいては、当該グラフの示す状態に応じてセグメントの表示態様を異ならせる。表示態様の一例は、図３（Ａ）に表されたように、セグメントを伸縮する方向である。たとえば、図３（Ａ）を参照して、エリア１４１Ａに表示される売買電電力を示すグラフは、中央に規定された０の位置（原点）から上向きまたは下向きに伸長するセグメントの長さによって売買電電力を表し、原点からセグメントの伸長する向き（上向きまたは下向き）によって売電か買電かを表わしている。詳しくは、図３（Ａ）に表されたように、原点から上向きのセグメントの長さが売電電力を表している。また、図３（Ｂ）に表されたように、買電電力は、原点から、売電電力を示す向きと逆向きの下向きのセグメントの長さによって表される。このように、売買電電力を示すグラフにおいてセグメントの伸長する向きと長さとによって売買電の状態と電力または電力量とを表すことによって、サイズの小さい端末装置１００のディスプレイ１４に表示されるホーム画面においても、売電状態であるか買電状態であるかが一目で把握できるようになる。
【００５４】
エリア１４１Ｂに表示される当該施設における消費電力を示すグラフは、原点から上向きに伸びるセグメントの長さによって消費電力を表している。好ましくは、エリア１４１Ｂにおいて消費電力を示すグラフの原点は、エリア１４１Ｂの左側に隣接するエリア１４１Ａに表示される売買電電力を示すグラフの原点と同じ高さに表示される。このようにエリア１４１Ｂのおける原点の表示位置が設定されることで、エリア１４１Ａに表示される売買電状態とエリア１４１Ｂに表示される消費電力とを簡易に比較することができる。これにより、ユーザは、売買電状態に対する電力の消費状態を容易に判断することができる。そのため、サイズの小さい端末装置１００のディスプレイ１４に表示されるホーム画面を用いて、ユーザは、各電気機器５００の運転状況や設定温度などを適切にするための判断を行うことができる。
【００５５】
エリア１４１Ｃに表示される発電電力を示すグラフおよびエリア１４１Ｄに表示される充放電電力を示すグラフも、上記と同様である。すなわち、エリア１４１Ｃに表示される発電電力を示すグラフも、原点から上向きに伸長するセグメントの長さによって発電電力を表している。エリア１４１Ｄに表示される充放電電力を示すグラフは、原点から上向きまたは下向きに伸長するセグメントの長さによって充放電電力を表している。詳しくは、図３（Ａ）に表されたように、原点から上向きのセグメントの長さが充電電力を表している。また、図３（Ｃ）に表されたように、原点から下向きのセグメントの長さが放電電力を表している。このように、充放電電力を示すグラフにおいてセグメントの伸長する向きと長さとによって充放電状態と充放電の電力または電力量とを表すことによって、サイズの小さい端末装置１００のディスプレイ１４に表示されるホーム画面においても、充電状態であるか放電状態であるかが一目で把握できるようになる。
【００５６】
好ましくは、エリア１４１Ｃにおいて発電電力を示すグラフの原点は、エリア１４１Ｃの右側に隣接するエリア１４１Ｄに表示される充放電電力を示すグラフの原点と同じ高さに表示される。このようにエリア１４１Ｃのおける原点の表示位置が設定されることで、エリア１４１Ｃに表示される発電電力とエリア１４１Ｄに表示される充放電電力とを簡易に比較することができる。これにより、ユーザは、発電電力に対する充放電電力を容易に判断することができる。そのため、サイズの小さい端末装置１００のディスプレイ１４に表示されるホーム画面を用いて、ユーザは、各電気機器５００の運電状況や設定温度などを適切にするための判断を行うことができる。
【００５７】
好ましくは、上記のようにエリア１４１Ａ〜１４１Ｄのうちの、セグメントの伸縮する方向（たとえば上下方向）に直交する方向に隣接するエリアに表示されるグラフの原点の位置を揃えた上で、さらに、グラフの最大値、つまり、セグメントの最大長さもこれらグラフにおいて同じにする。図３（Ａ）の例の場合、すべてのグラフにおいて、最大値が６ｋＷに設定されている。これにより、サイズの小さい端末装置１００のディスプレイ１４に表示されるホーム画面において、複数表示されたグラフにおけるセグメントの長さを容易に比較することができる。そのため、各グラフに示される値が、ホーム画面において一目で把握できるようになる。
【００５８】
より好ましくは、上記の最大値は、施設に設置されているブレーカ（配線用遮断機）の容量に応じて設定される。たとえば、ブレーカの容量が６０Ａである場合、１００Ｖの電圧で使用する場合を想定して、グラフの最大値は図３（Ａ）に示されたように６ｋＷに設定される。このようにグラフの最大値がブレーカの容量に応じて設定されることによって、各種の電力または電力量がグラフにおいて最適なサイズで表示されることになる。そのため、サイズの小さい端末装置１００のディスプレイ１４に表示されるホーム画面においても、グラフから各種電力の状態を容易に把握することができるようになる。なお、端末装置１００にインストールされているアプリケーションは、予めブレーカの一般的な容量に応じた最大値を設定しておき、ユーザ操作に従って変更可能としてもよい。
【００５９】
なお、他の例として、図４に示されたように、各グラフにおけるセグメントの伸縮する範囲を左右のグラフで同じにしてもよい。すなわち、図４を参照して、エリア１４１Ａに表示される売買電電力を示すグラフは中央に原点が設定され、その上下方向にそれぞれ＋６ｋＷの売電電力の最大値、−６ｋＷの買電電力の最大値が設定されている場合、エリア１４１Ａの右側に隣接するエリア１４１Ｂに表示される消費電力を示すグラフにおける原点は、売買電電力を示すグラフの最低値、つまり、−６ｋＷの買電電力の最大値と同じ高さに設定されていてもよい。なお、この場合、売買電電力を示すグラフに表される総電力が１２ｋＷであるのに対して消費電力を示すグラフに表される総電力が６ｋＷであるため、これらグラフにおける同じ長さのセグメントによって示される電力は異なることになる。図４を参照して、エリア１４１Ｃに表示される発電電力を示すグラフおよびエリア１４１Ｄに表示される充放電電力を示すグラフも、上記と同様である。このように、設定されることによって、セグメントが一方の向きにしか伸縮しないグラフ、つまり、エリア１４１Ｂに表示される消費電力を示すグラフおよびエリア１４１Ｃに表示される発電電力を示すグラフにおいて、ある電力または電力量を表すセグメントの長さが図３の場合よりも長くなる。そのため、サイズの小さい端末装置１００のディスプレイ１４に表示されるホーム画面においても、これら電力または電力量の変化が把握されやすくなる。
【００６０】
好ましくは、図３（Ａ）に表されたように、エリア１４１Ａ〜エリア１４１Ｄそれぞれに表示される情報は、電力または電力量および電力状態を表す文字等を含む。電力または電力量を表す文字等は、たとえば、電力または電力量を表す数値である。電力状態を表す文字等は、たとえば、「売電」「買電」「消費」「発電」「充電」および「放電」などである。すなわち、図３（Ａ）に表されたように、各エリア１４１Ａ〜１４１Ｂには、上記のようなグラフに加えて、各グラフで表された電力または電力量を示す数値が表示されると共に、電力状態を示す「売電」「買電」「消費」「発電」「充電」および「放電」の文字が表示される。なお、文字等には、絵文字やアイコンのような画像が含まれてもよい。このようにグラフに併せて文字等が表示されることによって、各グラフで表された数値が正確に把握される。そのため、サイズの小さい端末装置１００のディスプレイ１４に表示されるホーム画面においても、各グラフに示される値および電力状態が正確に把握できるようになる。
【００６１】
なお、図３（Ａ）の例では、上記のように、グラフによって示される電力状態に応じたセグメントの表示態様として、セグメントの伸縮する向きを異ならせることが示されているが、表示態様は他の態様であってもよい。この場合、セグメントの伸縮する向きは上向きのみ、または下向きのみであって、電力状態に応じて他の表示態様が異なるものとする。または、セグメントの伸縮する向きを異ならせることに加えて、他の表示態様も異ならせてもよい。たとえば、電力状態に応じてセグメントの表示色を異ならせたり、表示サイズ（太さ等）を異ならせたりしてもよい。さらに、セグメントの表示態様に加えて、上記の文字の表示態様をグラフによって示される電力状態に応じて異ならせてもよい。すなわち、エリア１４１Ａに表示される売買電電力を示す文字、エリア１４１Ｄに表示される充放電電力を示す文字は、売電状態であるか買電状態であるか、あるいは、充電状態であるか放電状態であるかに応じて異なる表示態様であってもよい。異なる表示態様とは、たとえば、表示位置が異なること、表示サイズ、色、太さ、字体が異なること、などである。このように電力状態に応じてさらに文字の表示態様を異ならせることによって、電力状態が表示態様によっても示されることになる。そのため、サイズの小さい端末装置１００のディスプレイ１４に表示されるホーム画面においても、売電状態であるか買電状態であるか、あるいは充電状態であるか放電状態であるかが一目で把握できるようになる。
【００６２】
なお、各電力関連情報を示すグラフとして、上の説明では上下方向に伸縮するセグメントを用いた棒グラフを一例に挙げ、同様の思想に基づいた円グラフでもよいとしている。電力関連情報を示すグラフは、規定された向きに伸縮する（増減する）長さや面積や角度が数値を表し、一例として、規定された向きとその逆向き、などのグラフの要素（セグメント）の表示態様で状態（売電状態・買電状態、発電状態・充電状態）を表すものであれば、棒グラフや円グラフに限定されずにどのようなグラフであってもよい。また、棒グラフの棒や円グラフの扇形に相当するセグメントの形状は直線状または扇形に限定されず、図１２（Ａ）に表されたように、円形や略円形や矩形や曲線であってもよい。すなわち、セグメントが、たとえば、円・楕円形や矩形などの、最大値と最小値（原点）とが一致する閉じた形状に沿って伸縮する（増減する）グラフであってもよい。
【００６３】
図１２（Ａ）は、ホーム画面の他の具体例を表した図である。図１２（Ａ）を参照して、エリア１４１Ａ〜１４１Ｄに表示されるグラフにおいて電力または電力量を表すセグメントは、たとえば円形であってもよい。図１２（Ａ）の例では、円形のセグメントの最上位の位置が原点であり、原点から周方向に円形状に沿って伸縮する円弧であるセグメントの長さによって電力または電力量が表される。また、原点からセグメントの伸縮する周方向の向き（時計回り、または反時計回り）によって状態が表される。詳しくは、エリア１４１Ａに表される売買電電力を示すグラフにおいて、図１２（Ａ）に示されたように、時計回りに伸縮するセグメントの長さが売電電力を表している。図１２（Ｂ）に示されたように、反時計回りに伸縮するセグメントの長さが買電電力を表している。また、エリア１４１Ｄに表される充放電電力を示すグラフにおいて、図１２（Ａ）に示されたように、時計回りに伸長するセグメントの長さが充電電力を表している。図１２（Ｃ）に示されたように、反時計回りに伸縮するセグメントの長さが放電電力を表している。なお、この例の場合も上記と同様に、電力状態を表すセグメントの表示態様は原点から周方向に円形状に沿ったセグメントの伸縮方向に限定されず、他の表示態様であってもよい。たとえば、セグメントが伸縮する方向は時計回り（右回り）、または反時計回り（左回り）のみとして、電力状態に応じてセグメントの色やサイズ（太さ等）を異ならせてもよい。セグメントがこのような形状であった場合であっても、サイズの小さい端末装置１００のディスプレイ１４に表示されるホーム画面においても、セグメントの長さによって電力または電力量が一目で把握できるようになると共に、セグメントの伸びる向きによって売電状態であるか買電状態であるか、または充電状態であるか放電状態であるかが一目で把握できるようになる。
【００６４】
なお、どのような形態のグラフによって電力関連情報を表示させるかを、ユーザが任意に設定可能であってもよい。さらには、色やサイズなど、表示態様もユーザが任意に設定可能であってもよい。あるいは、当該アプリケーションの提供者や、当該施設に電力を供給している電力会社などの設定したデザインコンセプトに従った形態であってもよい。
【００６５】
エリア１４１の下に位置するエリア１４２には当該施設に設置される蓄電池の残電量が表示される。すなわち、エリア１４２には、本施設に含まれる蓄電池であって、管理装置３００と直接、または間接的に通信可能な蓄電池の残電量が表示される。たとえば、図３（Ａ）のエリア１４２には、蓄電池７００Ａの残電量を示す情報と、電気自動車７００Ｂに搭載される図示しない蓄電池の残電量を示す情報とが表示されている。各残電量を示す情報もまた、残電量を表すグラフを含む。グラフは、残電量に応じた個数のセグメントを含み、該セグメントは、原点から規定された向きに残電量に応じた個数配列される。つまり、セグメント群は残電量に応じて伸長し、その長さが残電量を表す。たとえば、図３（Ａ）を参照して、エリア１４２に表示される蓄電池７００Ａの残電量を示すグラフおよび電気自動車７００Ｂの残電量を示すグラフは、それぞれの残電量に応じた個数（４個、１個）のセグメントが、原点である左端から右向きに配列されている。このように残電量が表示されることで、セグメントの個数、つまり、配列されたセグメント群の長さによって残電量が把握される。そのため、サイズの小さい端末装置１００のディスプレイ１４に表示されるホーム画面においても残電量が一目で把握できるようになる。
【００６６】
好ましくは、残電量を示す情報もまた、充放電状態を表す文字等を含む。充電状態を表す文字等は、「充電」および「放電」である。また、ここでの文字等にも、絵文字やアイコンのような画像が含まれてもよい。すなわち、図３（Ａ）に表されたように、エリア１４２には、蓄電池７００Ａおよび電気自動車７００Ｂの残電量を示すグラフに加えて、蓄電池７００Ａおよび電気自動車７００Ｂの充放電状態を表す「充電」または「放電」の文字が表示される。より好ましくは、充電状態を表す文字は、充電状態であるか放電状態であるかに応じて異なる表示態様であってもよい。異なる表示態様とは、たとえば、表示位置が異なること、表示サイズ、色、太さ、字体が異なること、などである。さらに好ましくは、残電量を示す情報としてエリア１４２に表示される文字等は、エリア１４１Ａ〜エリア１４１Ｄに電力関連情報として表示される文字や画像と統一感を有するものとする。このようにグラフに併せて充電状態を示す文字等が表示されることによって、各グラフで表された充電状態が正確に把握される。そのため、サイズの小さい端末装置１００のディスプレイ１４に表示されるホーム画面においても、各グラフに示される充電状態が正確に把握できるようになる。
【００６７】
ホーム画面の下端に位置するエリア１４３には、たとえば、ホーム画面の表示を指示するためのボタン１４３Ａと、当該施設に設置される電気機器５００のリスト（一覧表）の表示を指示するためのボタン１４３Ｂと、所定期間の売買電電力量の推移を表すグラフの表示を指示するためのボタン１４３Ｃと、所定期間の発電量の推移を表すグラフの表示を指示するためのボタン１４３Ｄとが表示される。この中の、ボタン１４３Ａへのタッチを受け付けることによって、該アプリケーションは図３（Ａ）の画面を更新する。すなわち、ボタン１４３Ａへのタッチを受け付けると、該アプリケーションは、起動の際と同様に管理装置３００に電力関連情報を要求する。そして、該アプリケーションは、管理装置３００から取得した電力関連情報を用いてホーム画面を更新する。
【００６８】
管理装置３００は、規定のタイミングで電気機器５００等と通信することによって取得された情報に基づいて電力関連情報を生成し、メモリに記憶しておく。そして、その後に端末装置１００が管理装置３００に要求することによって、端末装置１００は電力関連情報を取得する。そのため、管理装置３００と電気機器５００等との間の通信が不通であったり、管理装置３００と端末装置１００との間の通信が不通であったりすると、端末装置１００は電力関連情報を取得できない。
【００６９】
たとえば、管理装置３００が通信不良のためにある電気機器５００から情報が取得されていない場合には、上記した４つの電力関連情報がすべて生成されていない場合がある。端末装置１００がこの不完全な状態の電力関連情報を管理装置３００から取得すると、端末装置１００のアプリケーションは、たとえば図５に表されたようなホーム画面を表示してもよい。すなわち、アプリケーションは、エリア１４１にグラフ等に替えて該当する電力関連情報が得られていないことを示す画像をホーム画面に表示（エラー表示）してもよい。
【００７０】
またたとえば、電気自動車用充放電装置５００Ｆに電気自動車７００Ｂが接続されていないときには、管理装置３００は電気自動車７００Ｂの残電量を取得することができない。端末装置１００がこの状態の電力関連情報を管理装置３００から取得した場合にも、同様に、アプリケーションは、エリア１４２に電気自動車７００Ｂの残電量の表示に替えて電気自動車７００Ｂの残電量が表示できないことを示す画像をホーム画面に表示（エラー表示）してもよい。
【００７１】
このようなエラー表示が行われることで、ホーム画面を表示または更新させる際に、管理装置３００から電力関連情報が取得されなかったとしても、または管理装置３００からの電力関連情報が不完全なものであっても、そのような状態であることがホーム画面に表示されることになる。そのため、ユーザは別のタイミングにホーム画面を表示または更新させる指示を行って、完全な電力関連情報を表示させることができる。
【００７２】
＜動作フロー＞
図６は、管理装置３００の動作の流れを表したフローチャートである。図６のフローチャートに表された動作は、管理装置３００のＣＰＵ３０がＲＯＭ３１に記憶されているプログラムを読み出して実行することによって、主にＣＰＵ３０において実現される。しかしながら、少なくとも一部の機能が、図２（Ｂ）に図示されていない専用の回路などのハードウェアによって実現されてもよい。
【００７３】
図６を参照して、端末装置１００から電力関連情報が要求されると（ステップＳ２００でＹＥＳ）、管理装置３００のＣＰＵ３０は電気機器５００等から消費電力や、充電電力、放電電力、発電電力などの情報を取得する（ステップＳ２０１）。また、ＣＰＵ３０はスマートメータ６００と通信して、当該施設での買電電力、また、当該施設からの売電電力を取得する（ステップＳ２０３）。ＣＰＵ３０は、これらの情報に基づいて、当該施設における電力関連情報を生成し、ＲＡＭ３２などのメモリに記憶すると共に（ステップＳ２０５）、端末装置１００に送信する（ステップＳ２１１）。電力関連情報は、少なくとも当該施設における売買電電力を示す情報を含む、複数の種類の情報である。好ましくは、電力関連情報は、売買電電力の他、消費電力、発電電力、充放電電力、および当該施設に設置されている蓄電池の残電量を含む。
【００７４】
ＣＰＵ３０は、電力関連情報を端末装置１００に送信すると動作を最初に戻して、端末装置１００からの上記要求を待機する。そして、端末装置１００から電力関連情報が要求されるたびに、ＣＰＵ３０は、以上の一連の動作を繰り返し実行する。
【００７５】
図７は、端末装置１００の動作の流れを表したフローチャートである。図７のフローチャートに表された動作は、端末装置１００において上記アプリケーションが起動することによって開始される。この動作は、端末装置１００のＣＰＵ１０がＲＯＭ１１に記憶されているアプリケーション（表示プログラム）を読み出して実行することによって、主にＣＰＵ１０において実現される。すなわち、該アプリケーションは、端末装置１００のＣＰＵ１０に図７のフローチャートに表された動作を実現させるための各機能を発揮させる。しかしながら、図７のフローチャートに表された動作を実現させるための機能のうちのいずれかは、図２（Ａ）に図示されていない専用の回路などの他のハードウェアによって発揮されるものであってもよい。
【００７６】
図７を参照して、アプリケーションが起動すると、ＣＰＵ１０は、ホーム画面を表示するための処理を実行する（ステップＳ１）。そして、ＣＰＵ１０は、ホーム画面に対するユーザ操作に従って、ホーム画面から他の画面に切り替えるための処理を行ったり（ステップＳ３）、その他処理を行ったり（ステップＳ５）する。
【００７７】
ステップＳ１のホーム画面を表示するための処理においては、ＣＰＵ１０は、はじめに、管理装置３００に電力関連情報を要求する（ステップＳ１０１）。当該要求に応じて上記ステップＳ２１１で管理装置３００から送信された電力関連情報を取得すると（ステップＳ１０３でＹＥＳ）、ＣＰＵ１０は、各電力関連情報に関して、グラフとして表示するセグメントの長さ、および表示態様の一例としての向きを決定する（ステップＳ１０５）。詳しくは、電力関連情報のうちの売買電電力を示す情報については、ＣＰＵ１０は、売電状態であるか売電状態であるかに応じてセグメントの向きを決定し、さらに、電力または電力量に応じたセグメントの長さを決定する。ここでは、端末装置１００は、たとえば、売電状態および売電状態それぞれについてセグメントの向きをＲＯＭ１１などのメモリに予め記憶しておき、さらに、電力とセグメント長さとの対応をメモリに予め記憶しておく。そして、ＣＰＵ１０は、管理装置３００から取得した売買電電力を示す情報で表される売電状態または売電状態に対応したセグメントの向き、電力に対応した長さをメモリから読み出して、表示するセグメントの向きおよび長さとして決定する。
【００７８】
電力関連情報のうちの消費電力を示す情報については、ＣＰＵ１０は、消費電力に応じたセグメントの長さを決定する。ここでは、端末装置１００は、たとえば、消費電力とセグメント長さとの対応をメモリに予め記憶しておく。そして、ＣＰＵ１０は管理装置３００から取得した消費電力に対応した長さをメモリから読み出して表示するセグメントの長さとして決定する。
【００７９】
電力関連情報のうちの発電電力を示す情報については、ＣＰＵ１０は、発電電力に応じたセグメントの長さを決定する。ここでは、端末装置１００は、たとえば、電力とセグメント長さとの対応をメモリに予め記憶しておく。そして、ＣＰＵ１０は管理装置３００から取得した発電電力に対応した長さをメモリから読み出して表示するセグメントの長さとして決定する。
【００８０】
電力関連情報のうちの充放電電力を示す情報については、ＣＰＵ１０は、充電状態であるか放電状態であるかに応じてセグメントの向きを決定し、さらに、電力または電力量に応じたセグメントの長さを決定する。ここでは、端末装置１００は、たとえば、充電状態および放電状態それぞれについてセグメントの向きをメモリに予め記憶しておき、さらに、電力とセグメント長さとの対応をメモリに予め記憶しておく。そして、ＣＰＵ１０は、管理装置３００から取得した充放電電力示す情報で表される充電状態または放電状態に対応したセグメントの向き、充放電電力に対応した長さをメモリから読み出して、表示するセグメントの向きおよび長さとして決定する。
【００８１】
ＣＰＵ１０は、これら電力関連情報を示すグラフをエリア１４１に表示するためのフォーマットをメモリから読み出す（ステップＳ１０７）。ここで読み出されるフォーマットは、図３（Ａ）に表されたように、電力関連情報を表示するためのエリア１４１に設定されたエリア１４１Ａ〜１４１Ｄそれぞれに、売買電電力を示す情報、消費電力を示す情報、発電電力を示す情報、および充放電電力を示す情報を表示するためのフォーマットである。
【００８２】
ＣＰＵ１０は、ステップＳ１０７で読み出したフォーマットに、ステップＳ１０５で決定したセグメントを組み込むことで電力関連情報を示すグラフを生成して、ホーム画面のうちのエリア１４１の表示情報を生成する。好ましくは、ＣＰＵ１０は、管理装置３００からの電力関連情報に基づいて電力または電力量や充放電状態などを表した文字等を生成し、ステップＳ１０７で読み出したフォーマットに従ってエリア１４１Ａ〜１４１Ｄのそれぞれに埋め込むことで、グラフと共に文字等も表示する表示情報を生成する。
【００８３】
なお、ＣＰＵ１０は、上記動作と同様にして、ホーム画面のうちのエリア１４２の表示情報も生成する。すなわち、ＣＰＵ１０は、本施設に含まれる蓄電池の残電量に基づいてセグメントの個数を決定し、エリア１４２に表示するためのフォーマットに決定された個数のセグメントを埋め込むことで、エリア１４２の表示情報も生成する。
【００８４】
ＣＰＵ１０は、生成したエリア１４１の表示情報およびエリア１４２の表示情報を用いてホーム画面を表示する（ステップＳ１０９）。当該アプリケーションが起動された直後の場合、ステップＳ１０９では、ディスプレイ１４に表示されていた起動中の待機画面がホーム画面に更新される。
【００８５】
なお、管理装置３００から電力関連情報が得られなかった場合、または管理装置３００から得られた電力関連情報が不完全なものであった場合、ＣＰＵ１０は上記ステップＳ１０５，Ｓ１０７をスキップしてホーム画面にグラフを表示しない。この場合、ＣＰＵ１０は、メモリに予め記憶しているエラー画像（図５）をホーム画面に表示してもよい。
【００８６】
ＣＰＵ１０は、ディスプレイ１４にホーム画面を表示中は、当該画面に対するユーザ操作を待機する。ホーム画面に対して下向きのスワイプ操作などの、ホーム画面の更新を指示するユーザ操作を受け付けると（ステップＳ１１１でＹＥＳ）、ＣＰＵ１０は上記ステップＳ１０１に処理を戻して、上記の一連の処理を繰り返す。これによって、ディスプレイ１４のホーム画面の表示が更新される。
【００８７】
ホーム画面に表示されているボタン１４３Ｂ〜ボタン１４３Ｄのいずれかがタッチされて画面を切り替えるユーザ操作を受け付けると（ステップＳ１１１でＮＯ、かつステップＳ１１３でＹＥＳ）、ＣＰＵ１０は、これらボタンによるユーザ操作に対して予め規定されている処理を行なって、ホーム画面を当該処理に関する画面に更新する（ステップＳ３）。または、図示しない設定ボタンがタッチされるなどのその他のユーザ操作を受け付けた場合には（ステップＳ１１５でＮＯ）、ＣＰＵ１０は、当該ボタンによるユーザ操作に対して予め規定されている処理を実行する（ステップＳ５）。アプリケーションの終了ボタンがタッチされるなどのアプリケーションの終了を指示するユーザ操作を受け付けた場合には（ステップＳ１１５でＹＥＳ）、ＣＰＵ１０は一連の動作を終了する。
【００８８】
＜第１の実施の形態の効果＞
端末装置１００に搭載されているアプリケーションが端末装置１００のＣＰＵ１０を上記の動作を実行させるように機能を発揮させることによって、端末装置１００は、少なくとも当該施設における売買電電力を示す情報を含む複数の電力関連情報を管理装置３００から取得し、ホーム画面にこれら複数の電力関連情報を同時に表示することができる。このとき、アプリケーションは、当該施設における売買電電力を示す情報を、ホーム画面の電力関連情報を表示するエリア１４１のうちの左上のエリア１４１Ａに表示する。これにより、端末装置１００のサイズの小さいディスプレイに複数の種類の電力関連情報がホーム画面として一つの画面に表示されても、ユーザの最も関心の高いと考えられる当該施設における売買電電力を示す情報が、最も視認しやすい位置に表示されることになる。そのために、端末装置１００のサイズの小さいディスプレイに表示される複数の種類の電力関連情報のうちから、ユーザは、最も関心の高い情報を容易に確認することができる。
【００８９】
また、管理装置３００が上記の動作を行うことによって、端末装置１００は、少なくとも当該施設における売買電電力を含む、複数の種類の電力管理情報を管理装置３００から取得することができる。これにより、端末装置１００は、これら情報を用いて上記動作を行なうことができる。そのために、ホーム画面に、当該施設における売買電電力を含む、複数の種類の電力管理情報を示す情報を表示することができる。
【００９０】
［第２の実施の形態］
端末装置１００にインストールされているアプリケーションは、ホーム画面において、電力関連情報として、電力の流れも併せて表示してもよい。第２の実施の形態として、該アプリケーションによる表示について説明する。以降の説明では、第１の実施の形態と同一の部品および構成要素には同一の符号を付してある。それらの名称および機能も同じである。したがって、これらの説明は繰り返さない。
【００９１】
図８は、ホーム画面の他の具体例を表した図である。図８を参照して、ホーム画面は、図３（Ａ）に表された各エリア１４１Ａ〜１４１Ｄに加えて、これらエリア間に、電力の流れを示す画像の一例である矢印１４１Ｅをさらに含む。
【００９２】
電力の流れとは、たとえば、ある施設に設けられた太陽光発電システムにおける発電電力が大きい場合に、該太陽光発電システムによって生成された電力を当該施設の電気機器で消費したり、電力会社に販売（売電）したり、蓄電池に充電したりすることがある。この場合、図８に表されたように、発電電力を表すエリア１４１Ｃから売電電力を表すエリア１４１Ａ、消費電力を表すエリア１４１Ｂ、および充電電力を表すエリア１４１Ｄに向けて矢印１４１Ｅが表示されることで、上記のような電力の流れが把握されやすくなる。
【００９３】
電力の流れの他の例として、たとえば、電力会社から供給された電力（買電）を当該施設の電気機器で消費したり蓄電池を充電したりする場合も挙げられる。この場合には、買電電力を表すエリア１４１Ａから消費電力を表すエリア１４１Ｂおよび充電電力を表すエリア１４１Ｄに向けて矢印１４１Ｅが表示されることで、上記のような電力の流れが把握されやすくなる。
【００９４】
第２の実施の形態において端末装置１００にホーム画面を表示する際、端末装置１００は、図７のステップＳ１０１と同様に管理装置３００に電力関連情報を要求する。このとき、管理装置３００は、図６のステップＳ２１１と同様に、電力関連情報をメモリから読み出して端末装置１００に送信すると共に、矢印１４１Ｅを表示するための情報を生成して端末装置１００に送信する。
【００９５】
矢印１４１Ｅを表示するための情報を生成するために、管理装置３００は、発電電力、消費電力、売買電電力、および充電電力の間の関係と、矢印との対応をメモリに予め記憶しておく。発電電力、消費電力、売買電電力、および充電電力の間の関係は、たとえば、それぞれに対して予め記憶している閾値を超えているか否かによって規定されてもよい。この場合、一例として、管理装置３００のメモリには、発電電力が閾値Ｔ１以上であり、消費電力が閾値Ｔ２以上であり、買電電力が閾値Ｔ３以下であり、充電電力が閾値Ｔ４以上である関係に対して、発電電力を表すエリア１４１Ｃから消費電力を表すエリア１４１Ｂおよび充電電力を表すエリア１４１Ｄへの矢印の向きが記憶されている。そして、端末装置１００からホーム画面を表示する情報を要求された際の各電力関連情報の関係が上記の関係を満たす場合には、管理装置３００はメモリから上の矢印の向きを読み出して、矢印１４１Ｅを表示するための情報として、電力関連情報と共に端末装置１００に送信する。
【００９６】
端末装置１００にインストールされているアプリケーションは、管理装置３００から矢印の向きを示す情報を取得すると、メモリに予め記憶されている矢印を表示するためのフォーマットを読み出して、当該フォーマットに取得した矢印の向きを適用することで矢印１４１Ｅをホーム画面に表示する。
【００９７】
なお、電力の流れを表す画像の一例としての矢印１４１Ｅは、電力または電力量に応じて色やサイズなどの表示態様が異なってもよい。
【００９８】
＜第２の実施の形態の効果＞
管理装置３００が上記の動作を行うことによって、端末装置１００は、ホーム画面に複数の電力関連情報に加えて電力の流れを同時に表示することができる。これによって、ユーザは、端末装置１００のサイズの小さいディスプレイによって複数の種類の電力関連情報を容易に確認できると共に、さらに、電力の流れを容易に確認することができる。
【００９９】
［第３の実施の形態］
第３の実施の形態にかかる電力管理システムにおいては、端末装置１００に対するユーザ操作に従って電気機器５００等が制御される。このために、第３の実施の形態にかかるアプリケーションは、上記ステップＳ１１３で図３（Ａ）に表されたホーム画面において機器リスト（一覧）を表示させるためのボタン１４３Ｂがタッチされると、ステップＳ３の処理として、図３（Ａ）のホーム画面を電気機器５００等の制御用の画面に遷移させ、端末装置１００に制御用の処理を実行させる。
【０１００】
図９（Ａ）〜図９（Ｃ）は、図３（Ａ）のホーム画面においてボタン１４３Ｂがタッチされたときの画面遷移の具体例を表した図である。はじめに、図３（Ａ）のホーム画面においてボタン１４３Ｂがタッチされると、図３（Ａ）のホーム画面は図９（Ａ）の画面に遷移する。図９（Ａ）は、当該施設に設置され、管理装置３００と通信可能な電気機器５００等の種類のリスト（一覧表）画面の一例である。図９（Ａ）のリスト画面は、管理装置３００と通信可能な電気機器５００等の種類をリスト表示するためのエリア１４４を含む。当該エリア１４４には、電気機器５００等の種類として、たとえばエアコンを示すボタン１４４Ａ、照明器具を示すボタン１４４Ｂ、電気給湯器を示すボタン１４４Ｃ、蓄電池を示すボタン１４４Ｄ、および電気自動車を示すボタン１４４Ｅが表示される。図９（Ａ）では、エリア１４４に表示された電気機器５００等の種類を示すボタン１４４Ａ〜１４４Ｄのうちのボタン１４４Ａがタッチされた状態が示されている。
【０１０１】
図９（Ａ）においてボタン１４４Ａがタッチされると、図９（Ａ）のリスト画面は図９（Ｂ）の画面に遷移する。図９（Ｂ）は、図９（Ａ）のリスト画面において選択された電気機器５００などの種類に属する電気機器５００のリスト画面の一例である。図９（Ｂ）のリスト画面は、図９（Ａ）のリスト画面において選択された「エアコン」であって、管理装置３００と通信可能なエアコンのリスト（一覧表）画面の一例である。図９（Ｂ）のリスト画面は、図９（Ａ）のリスト画面において選択された種類「エアコン」に属する、具体的な電気機器５００それぞれの識別情報（たとえば名称）をリスト表示するためのエリア１４５を含む。当該エリア１４５には、たとえば、名称「リビング」が付されたエアコンを示すボタン１４５Ａ、名称「寝室」が付されたエアコンを示すボタン１４５Ｂ、名称「洋室」が付されたエアコンを示すボタン１４５Ｃ、および名称「和室」が付されたエアコンを示すボタン１４５Ｄが表示される。図９（Ｂ）では、エリア１４５に表示されたエアコンそれぞれを示すボタン１４５Ａ〜１４５Ｄのうちのボタン１４５Ａがタッチされた状態が示されている。
【０１０２】
図９（Ｂ）においてボタン１４５Ａがタッチされると、図９（Ｂ）のリスト画面は図９（Ｃ）の画面に遷移する。図９（Ｃ）は、図９（Ｂ）のリスト画面において選択された電気機器５００の操作画面の一例である。図９（Ｃ）の操作画面は、図９（Ｂ）のリスト画面において選択された名称「リビング」が付されたエアコンの操作画面の一例であって、温度などの操作入力を受け付けるエリア１４６を含む。ユーザは、エリア１４６に表示された、温度や風量などのエアコンの制御可能な項目について操作入力を行う。
【０１０３】
端末装置１００は、図９（Ｃ）の操作画面に対するユーザ操作を受け付けると、ユーザ操作に基づく信号を管理装置３００に送信する。管理装置３００は、端末装置１００からの信号に基づいてユーザ操作の内容を特定し、該当する電気機器５００等に対して制御信号を出力する。
【０１０４】
端末装置１００は、一例として、ユーザ操作を受け付けるたびに、管理装置３００に情報を要求する。管理装置３００は、通信可能な電気機器５００等それぞれについて、少なくとも種類と名称とをメモリに記憶しておく。そして、端末装置１００から画面遷移に関する情報が要求されると、管理装置３００は必要な情報を端末装置１００に送信する。
【０１０５】
たとえば、図３（Ａ）のホーム画面においてボタン１４３Ｂがタッチされると、端末装置１００は管理装置３００に、電気機器５００等の種類のリスト画面を表示するための情報を要求する。この要求に応じて、管理装置３００は、メモリに記憶されている通信可能な電気機器５００等の種類を示す情報を端末装置１００に送信する。
【０１０６】
図９（Ａ）のリスト画面においてボタン１４４Ａがタッチされると、端末装置１００は管理装置３００に、種類「エアコン」の付されている電気機器５００のリスト画面を表示するための情報を要求する。この要求に応じて、管理装置３００は、メモリに記憶されている通信可能な電気機器５００等のうちの種類「エアコン」の付されている電気機器５００それぞれの名称を示す情報を端末装置１００に送信する。
【０１０７】
図９（Ｂ）のリスト画面においてボタン１４５Ａがタッチされると、端末装置１００は管理装置３００に、選択されたエアコンの操作画面を表示するための情報を要求する。この要求に応じて、管理装置３００は、メモリに記憶されている当該電気機器５００の設定情報などを読み出して端末装置１００に送信する。たとえば、操作対象としてエアコンが選択された場合には、管理装置３００は当該エアコンの現在の運転モードや設定温度、風量などを読み出して端末装置１００に送信する。
【０１０８】
図９（Ｃ）の操作画面においてユーザ操作がなされると、端末装置１００は管理装置３００に、ユーザ操作に対応した指示内容を示す情報を送信する。または、端末装置１００は、操作画面におけるタッチ位置を示す情報（たとえば座標）を管理装置３００に送信し、管理装置３００において、当該タッチ位置および予め記憶している操作画面の情報からユーザの指示内容が特定されてもよい。
【０１０９】
なお、図９（Ａ）〜図９（Ｃ）のいずれにも示されているように、これら画面にも指示ボタンを表示するためのエリア１４３が含まれ、その中にホーム画面の表示を指示するためのボタン１４３Ａが表示される。いずれの画面においても、ボタン１４３Ａへのタッチを受け付けると、画面は図３（Ａ）のようなホーム画面に移行する。すなわち、ボタン１４３Ａへのタッチを受け付けると、端末装置１００は管理装置３００に電力関連情報を要求して図３（Ａ）のホーム画面を表示する。管理装置３００は、予め規定されたタイミングで電力関連情報を生成してメモリに記憶し、または当該要求に応じて電力関連情報を生成してメモリに記憶し、当該要求に従ってメモリに記憶している電力関連情報を端末装置１００に送信する。
【０１１０】
＜第３の実施の形態の効果＞
第３の実施の形態にかかるアプリケーションは、端末装置１００に表示させるホーム画面に、当該施設に設置された電気機器５００などの操作画面への遷移を指示するボタンをさらに表示させる。そのため、ユーザは、煩雑な操作を行うことなくワンアクションでホーム画面から電気機器５００などの操作画面に移行し、任意の電気機器５００の操作を行うことができる。これにより、ユーザの操作性が格段に向上する。
【０１１１】
さらに、ユーザは、電気機器５００などの操作を行った後に、その操作画面から容易にホーム画面に遷移させて、電力関連情報を表示させることができる。そのため、ユーザは、電気機器５００などの操作を行った後に当該操作による電気関連情報の変化を知ることができる。たとえば、ユーザは、ホーム画面の電力関連情報によって消費電力が高いことを把握すると、ホーム画面からエアコンの操作画面に移行して設定温度を変化させる。その後、ユーザは、再度ホーム画面に戻して消費電力の変化を確認する、などの操作を端末装置１００のサイズの小さい画面でも容易に行うことができる。
【０１１２】
［第４の実施の形態］
第４の実施の形態にかかる電力管理システムにおいて、アプリケーションは、端末装置１００に売買電電力量の推移や発電量の推移を表示させる。このために、第４の実施の形態にかかるアプリケーションは、上記ステップＳ１１３で図３（Ａ）に表されたホーム画面において売買電電力量の推移を表すグラフを表示させるためのボタン１４３Ｃ、または発電量の推移を表すグラフを表示させるためのボタン１４３Ｄがタッチされると、ステップＳ３図３（Ａ）のホーム画面をそれぞれの画面に遷移させる。
【０１１３】
図１０および図１１は、それぞれ、図３（Ａ）のホーム画面においてボタン１４３Ｃ，１４３Ｄがタッチされると遷移する画面の具体例を表した図である。詳しくは、図３（Ａ）のホーム画面においてボタン１４３Ｃがタッチされると、図３（Ａ）のホーム画面は図１０の画面に遷移する。図１０は、予め規定された期間における、当該施設での売買電電力量の推移を示すグラフを表示する画面の一例である。図１０の画面例では、一例として２０１５年における一月ごとの売買電電力量の推移が棒グラフによって示されている。
【０１１４】
管理装置３００は、図６のステップＳ２０５で電力関連情報として売買電電力量を示す情報を生成し、メモリに蓄積していく。図３（Ａ）のホーム画面においてボタン１４３Ｃがタッチされると、端末装置１００は管理装置３００に、売買電電力量の推移を示すグラフを表示するための情報を要求する。この要求に応じて、管理装置３００は、メモリに記憶されている、予め規定された期間（たとえば一年）の売買電電力量を読み出す。そして、管理装置３００は、規定された期間に含まれる規定された間隔（たとえば一月）ごとの売買電電力量を算出し、端末装置１００に送信する。
【０１１５】
図３（Ａ）のホーム画面においてボタン１４３Ｄがタッチされると、図３（Ａ）のホーム画面は図１１の画面に遷移する。図１１は、予め規定された期間における、当該施設に含まれる太陽光発電システムにおける発電量の推移を示すグラフを表示する画面の一例である。図１１の画面例では、一例として２０１５年１２月１４日における１５分ごとの発電量の推移が棒グラフによって示されている。
【０１１６】
管理装置３００は、図６のステップＳ２０５で電力関連情報として発電電力量を示す情報を生成し、メモリに蓄積していく。図３（Ａ）のホーム画面においてボタン１４３Ｄがタッチされると、端末装置１００は管理装置３００に、発電量の推移を示すグラフを表示するための情報を要求する。この要求に応じて、管理装置３００は、メモリに記憶されている、予め規定された期間（たとえば一日）の発電電力量を読み出す。そして、管理装置３００は、規定された期間に含まれる規定された間隔（たとえば１５分）ごとの発電量を算出し、端末装置１００に送信する。
【０１１７】
なお、図１０および図１１にも示されているように、これら画面にも指示ボタンを表示するためのエリア１４３が含まれ、その中にホーム画面の表示を指示するためのボタン１４３Ａが表示される。いずれの画面においても、ボタン１４３Ａへのタッチを受け付けると、画面は図３（Ａ）のようなホーム画面に移行する。すなわち、ボタン１４３Ａへのタッチを受け付けると、端末装置１００は管理装置３００に電力関連情報を要求して図３（Ａ）のホーム画面を表示する。管理装置３００は、予め規定されたタイミングで電力関連情報を生成してメモリに記憶し、または当該要求に応じて電力関連情報を生成してメモリに記憶し、当該要求に従ってメモリに記憶している電力関連情報を端末装置１００に送信する。
【０１１８】
＜第４の実施の形態の効果＞
第４の実施の形態にかかるアプリケーションは、端末装置１００に表示させるホーム画面に、当該施設における売買電電力量の推移や発電量の推移を表示する画面への遷移を指示するボタンをさらに表示させる。そのため、ユーザは、煩雑な操作を行うことなくワンアクションでホーム画面からこれらの推移を表示する画面に移行し、売買電電力量の推移や発電量の推移を確認することができる。これにより、ユーザの操作性が格段に向上する。
【０１１９】
さらに、ユーザは、売買電電力量の推移や発電量の推移を確認した後に、その表示画面から容易にホーム画面に遷移させて、電力関連情報を表示させることができる。そのため、ユーザは、端末装置１００のサイズの小さい画面でも、所定期間の売買電電力量の推移や発電量の推移と、現在の売買電電力や発電電力とを、容易に比較することができる。
【０１２０】
なお、以上の説明では、図１に表されたように、端末装置１００は管理装置３００とは独立した別個の装置であるものとしているが、端末装置１００は管理装置３００に搭載され、一体の装置として構成されていてもよい。この場合であっても、ディスプレイ１４のサイズは小さいために、上記のように電力関連情報が表示されることによって、ユーザは容易に電力関連情報を確認することができる。
【０１２１】
［付記］
開示されたアプリケーションの特徴は、１つ以上のモジュールによって実現される。たとえば、当該特徴は、回路素子その他のハードウェアモジュールによって、当該特徴を実現する処理を規定したソフトウェアモジュールによって、または、ハードウェアモジュールとソフトウェアモジュールとの組み合わせによって実現され得る。
【０１２２】
上述の動作を端末装置１００あるいは管理装置３００に実行させるための、１つ以上のソフトウェアモジュールの組み合わせであるプログラムとして提供することもできる。このようなプログラムは、コンピュータに付属するフレキシブルディスク、ＣＤ−ＲＯＭ（Compact  Disk-Read  Only  Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１２３】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１２４】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１２５】
提供されるプログラム製品は、ハードディスクなどのプログラム格納部にインストールされて実行される。なお、プログラム製品は、プログラム自体と、プログラムが記録された記録媒体とを含む。
【０１２６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２７】
１００  端末装置
１０，３０  ＣＰＵ
１１，３１  ＲＯＭ
１２，３２  ＲＡＭ
１４  ディスプレイ
１６  操作パネル
１８  通信部
３３  第１通信部
３４  第２通信部
３５  第３通信部
３６  第４通信部
１４１，１４１Ａ〜１４１Ｄ，１４２，１４３  エリア
１４３Ａ〜１４３Ｄ  ボタン
３００  管理装置
５００，５００Ａ〜５００Ｆ  電気機器
６００  スマートメータ
７００Ａ  蓄電池
７００Ｂ  電気自動車
７０１  太陽光発電パネル
７０２  電力変換装置
７０１  太陽光発電装置
９００  サーバ
【図１】
0006736957.tif 000002
【図２】
0006736957.tif 000003
【図３】
0006736957.tif 000004
【図４】
0006736957.tif 000005
【図５】
0006736957.tif 000006
【図６】
0006736957.tif 000007
【図７】
0006736957.tif 000008
【図８】
0006736957.tif 000009
【図９】
0006736957.tif 000010
【図１０】
0006736957.tif 000011
【図１１】
0006736957.tif 000012
【図１２】
0006736957.tif 000013